(57)【要約】【課題】血液濾過器具よりもサイズの大きい容器であっても、安定して載置することのできる血液濾過器具を提供する。【解決手段】血液濾過器具（１Ａ）は、第１筒状体（２）と、第１筒状体（２）の内部に設けられ、第１筒状体（２）の軸方向に血液を濾過するメッシュ（６）を有する濾過部（３）と、第１筒状体（２）の外面から外周方向に延設された縁部（７）と、縁部（７）に設けられ、第１筒状体（２）の下端部側に突出した突出部（８）とを備えている。【選択図】図２
2017140313.tif 000002
【特許請求の範囲】
【請求項１】
吸引具により体内から吸引された血液を濾過する血液濾過器具において、
筒状体と、
上記筒状体の内部に設けられ、上記筒状体の軸方向に上記血液を濾過するフィルタを有する濾過部と、
上記筒状体の外面から外周方向に延設された縁部と、
上記縁部に設けられ、上記筒状体の上端部側および下端部側の少なくとも一方に突出した少なくとも１つの突出部とを備えていることを特徴とする血液濾過器具。
【請求項２】
上記突出部が複数個設けられていることを特徴とする請求項１に記載の血液濾過器具。
【請求項３】
上記突出部の高さは、上記筒状体の高さの１／１０以上、１／２以下であることを特徴とする請求項１または２に記載の血液濾過器具。
【請求項４】
上記突出部の幅は、上記縁部の周方向の幅の１／２０以上、１／３以下であることを特徴とする請求項１〜３のいずれか１項に記載の血液濾過器具。
【請求項５】
上記縁部の上記突出部が形成された面と、上記突出部の厚さ方向の断面における側面とのなす角が、９０°以上、１５０°以下であることを特徴とする請求項１〜４のいずれか１項に記載の血液濾過器具。
【請求項６】
上記筒状体の中心軸から筒状体の内面までの距離をＲ１、
上記筒状体の中心軸から上記突出部の内面までの距離をＲ２、
上記筒状体の中心軸から上記縁部の外周までの距離をＲ３、
上記突出部の幅をａ、
隣り合う２つの突出部の距離をｂとしたとき、
上記縁部および突出部は、下記式（１）および式（２）
（１）  ２×Ｒ２≧ｂ≧２（Ｒ２＋ａ−Ｒ１）
（２）  Ｒ３−ａ≧Ｒ２＞Ｒ１
が成り立つように設けられていることを特徴とする請求項１〜５のいずれか１項に記載の血液濾過器具。
【請求項７】
上記濾過部を複数の区域に仕切るための仕切り部が設けられていることを特徴とする請求項１〜６のいずれか１項に記載の血液濾過器具。
【請求項８】
上記突出部は、上記仕切り部によって仕切られた上記濾過部のすべての区域に対して設けられていることを特徴とする請求項７に記載の血液濾過器具。
【請求項９】
上記突出部は、上記縁部の外周と上記筒状体の外周との中間よりも上記縁部の外周側に設けられていることを特徴とする請求項１〜８のいずれか１項に記載の血液濾過器具。
【請求項１０】
上記突出部の先端面に、上記突出部の長さ方向の両端を結ぶ溝が形成されていることを特徴とする請求項１〜９のいずれか１項に記載の血液濾過器具。
【発明の詳細な説明】
【技術分野】
【０００１】
本発明は、カテーテルなどの吸引具によって体内から吸引された血液を濾過するために使用される血液濾過器具に関する。
【背景技術】
【０００２】
末梢血管や冠動脈に血栓が生じた場合、腕や下肢などの血管にカテーテルなどの吸引具を挿入（穿刺）して、末梢血管や冠動脈を閉塞している血栓を血液と共に吸引し、血栓を体外に除去する治療が行われる。この治療は、血栓吸引療法とも称される。血栓吸引療法においては、血栓が確実に吸引されたことを確認するため、また、吸引された血栓の量や大きさを確認するために、吸引された血液を濾過する必要がある。そこで、吸引された血液を濾過するために、血液濾過器具が使用される。
【０００３】
一般的な血液濾過器具は、ビーカー等の容器に載置して使用される。そして、血液濾過器具に設けられたメッシュ（フィルタ）を通して吸引された血液を濾過し、濾過された血液を、容器に回収する。例えば、特許文献１には、このような血液濾過器具としての血栓捕集器具が開示されている。
【０００４】
特許文献１に開示されている血栓捕集器具は、円形状の上開口と、前記上開口よりも小径の円形状の下開口とを有し、前記上開口から前記下開口に向かって徐々に小径となる逆截頭円錐体（円錐体の頭部を底面と平行な面で切り取ったときの残りの部分）形状の本体と、前記本体の内部の前記下開口近傍に設置され、前記本体の内部に注入された血液を濾過し凝集成分を濾別し捕集する濾過フィルタとを有している。
【０００５】
一方、特許文献２には、免疫学研究においてリンパ球を含む懸濁液を濾過および回収するのに適したセルストレーナが開示されている。上記セルストレーナは、キャップと容器とを備えており、キャップを容器の上部に装着して使用される。キャップの中央部には懸濁液を濾過する区画が形成されており、キャップの外縁部にはキャップの上部から下部まで延びた環状の周壁（スカート）が形成されている。キャップが容器に装着された時には、懸濁液を濾過する区画が容器の内部に配置され、濾液が容器に回収される。
【先行技術文献】
【特許文献】
【０００６】
【特許文献１】特開２０１４−１９５５５８号公報（２０１４年１０月１６日公開）
【特許文献２】米国特許第５５１８６１２号明細書（１９９６年５月２１日登録）
【発明の概要】
【発明が解決しようとする課題】
【０００７】
しかし、上述した従来技術は、血栓捕集器具の本体サイズおよびセルストレーナのキャップサイズよりも大きい容器を使用することはできないという問題がある。また、血栓捕集器具を載せる容器が歪んでいる場合や、血液濾過器具の中心軸と容器の中心軸とがずれて配置されている場合などに、血液濾過器具を容器に安定的に載置できないという問題がある。
【０００８】
具体的には、特許文献１に開示されている血栓捕集器具の本体は、上開口から下開口に向かって徐々に小径となる形状になっている。これにより、内径が血栓捕集器具の上開口の部分の外径に近い容器から、内径が血栓捕集器具の下開口の部分外径に近い容器まで、任意のサイズの容器を用いて、血液の濾過、血栓の捕集を行うことができると記載されている。したがって、上記血栓捕集器具では、血栓捕集器具の本体の上開口の部分の外径よりも大きい容器を使用することはできず、そのような大きい容器を使用することも想定されていない。
【０００９】
一方、特許文献２に開示されているセルストレーナは、キャップを容器に装着して使用されるため、キャップの装着時にはキャップに形成された環状の周壁が、容器の上部を完全に包囲する。したがって、上記セルストレーナでも、必然的に容器のサイズは、キャップサイズ（環状の周壁の内径）よりも小さいことが前提となる。また、血液濾過器具の中心軸と容器の中心軸とがずれている場合には、載置できない。
【００１０】
本発明は、前記の問題点に鑑みてなされたものであり、その目的は、血液濾過器具よりもサイズの大きい容器や種々のサイズの容器であっても、安定して載置することのできる血液濾過器具を提供することにある。
【課題を解決するための手段】
【００１１】
上記の課題を解決するために、本発明の血液濾過器具は、吸引具により体内から吸引された血液を濾過する血液濾過器具において、筒状体と、上記筒状体の内部に設けられ、上記筒状体の軸方向に上記血液を濾過するフィルタを有する濾過部と、上記筒状体の外面から外周方向に延設された縁部と、上記縁部に設けられ、上記筒状体の上端部側および下端部側の少なくとも一方に突出した少なくとも１つの突出部とを備えていることを特徴としている。
【００１２】
上記の構成によれば、血液濾過器具を容器に載置して使用するときに、筒状体に形成された縁部が容器の上端部に接する。これにより、血液濾過器具が容器の高さ方向に位置決めされる。
【００１３】
一方、筒状体の外周面よりも大きいサイズの容器に血液濾過器具を載置すると、血液濾過器具が容器の幅方向に移動し、血液濾過器具と容器との間に相対的な位置ずれが生じる可能性がある。しかし、上記の構成によれば、縁部には少なくとも筒状体の上端部側または下端部側に突出した突出部が形成されている。すなわち、突出部は、筒状体の軸方向に突出している。これにより、突出部を容器側に配置して血液濾過器具を容器に載置することによって、血液濾過器具が容器の幅方向に移動したとしても、突出部がその移動を規制する。つまり、突出部が容器の側壁（容器の内面または外面）に接することにより、血液濾過器具と容器との間の相対的な位置ずれを低減することができる。
【００１４】
したがって、血液濾過器具を容器の高さ方向にも幅方向にも安定して載置することができる。さらに、上記の構成によれば、縁部の突出部が形成されていない領域は、容器の上端部に接する部分として利用することができる。したがって、血液濾過器具よりも大きいサイズの容器、すなわち縁部の外径よりも大きな内周を持つ容器であっても、血液濾過器具を安定して載置することができる。
【００１５】
また、容器に対する血液濾過器具の突出部の配置状態を変えることによって、使用できる容器のサイズの種類を増やすこともできる。容器が歪んでいる場合や、血液濾過器具の中心軸と容器の中心軸とがずれて配置されている場合、血液濾過器具と容器とは、水平方向の中心が一致しない。このような場合においても、突出部が形成されていれば、突出部により容器に対する血液濾過器具の載置位置を調整することができる。すなわち、血液濾過器具は、多様な形状、多様なサイズの廃液回収容器Ｗに安定して載置することができる。
【００１６】
本発明の血液濾過器具は、上記突出部が複数個設けられていることが好ましい。これにより、複数の突出部によって、血液濾過器具が容器の幅方向に移動するのを規制する。したがって、血液濾過器具を載置できる容器の種類を増やすことができ、また血液濾過器具を容器に安定して載置することができる。
【００１７】
本発明の血液濾過器具において、上記突出部の高さは、上記筒状体の高さの１／１０以上、１／２以下であってもよい。これにより、突出部が容器の側壁（容器の内面または外面）に干渉することなく、血液濾過器具を容器に安定して載置することができる。
【００１８】
本発明の血液濾過器具において、上記突出部の幅は、上記縁部の周方向の幅の１／２０以上、１／３以下であってもよい。これにより、突出部が容器の側壁（容器の内面または外面）に干渉することなく、血液濾過器具を容器に安定して載置することができる。
【００１９】
本発明の血液濾過器具において、上記縁部の上記突出部が形成された面と、上記突出部の厚さ方向の断面における側面とのなす角が、９０°以上、１５０°以下であってもよい。
【００２０】
上記の構成によれば、血液濾過器具を容器に載置するときに、容器の上端部が、突出部の側面に沿って、縁部の突出部が形成された面における突出部が形成されていない領域まで導かれやすくなる。したがって、血液濾過器具を容器に取り付けやすくなる。
【００２１】
本発明の血液濾過器具において、上記筒状体の中心軸から筒状体の内面までの距離をＲ１、上記筒状体の中心軸から上記突出部の内面までの距離をＲ２、上記筒状体の中心軸から上記縁部の外周までの距離をＲ３、上記突出部の幅をａ、隣り合う２つの突出部の距離をｂとしたとき、上記縁部および突出部は、下記式（１）および式（２）
（１）  ２×Ｒ２≧ｂ≧２（Ｒ２＋ａ−Ｒ１）
（２）  Ｒ３−ａ≧Ｒ２＞Ｒ１
が成り立つように設けられていてもよい。上記式（１）および式（２）を満たすように血液濾過器具を設計することにより、多様な形状、多様なサイズの容器に、血液濾過器具を安定して載置することができる。
【００２２】
本発明の血液濾過器具は、上記濾過部を複数の区域に仕切るための仕切り部が設けられている構成であってもよい。これにより、吸引具によって複数回血液を吸引する場合に、各回で採取された血液を異なる区域で濾過し、各回の血栓を採取することができる。したがって、血栓が採取されなくなる回の把握が容易になるため、治療の終了を適切に決定することができる。
【００２３】
本発明の血液濾過器具において、上記突出部は、上記仕切り部によって仕切られた上記濾過部のすべての区域に対して設けられていてもよい。
【００２４】
上記の構成によれば、仕切り部によって仕切られた濾過部の各区域に対応して、突出部が設けられているため、血液濾過器具を容器に安定して載置することができる。
【００２５】
本発明の血液濾過器具において、上記突出部は、上記縁部の外周と上記筒状体の外周との中間よりも上記縁部の外周側に設けられていてもよい。
【００２６】
上記の構成によれば、突出部が、縁部の外周と筒状体の外周との中間よりも縁部の外周側で、血液濾過器具が容器の幅方向に移動するのを規制する。これにより、突出部が縁部の外周と筒状体の外周との中間よりも縁部の内周側に設けられている場合に比べて、大きいサイズの容器に血液濾過器具を安定して載置することができる。
【００２７】
本発明の血液濾過器具において、上記突出部の先端面に、上記突出部の長さ方向の両端を結ぶ溝が形成されていてもよい。これにより、突出部に形成された溝に容器をはめ込むことができるため、血液濾過器具を容器に安定して載置することができる。
【発明の効果】
【００２８】
本発明は、血液濾過器具よりもサイズの大きい容器や種々のサイズの容器であっても、安定して載置することのできる血液濾過器具を提供することができるという効果を奏する。
【図面の簡単な説明】
【００２９】
【図１】本発明の実施形態１に係る血液濾過器具の斜視図である。
【図２】図１の血液濾過器具を廃液回収容器に設置した様子を示す断面図である。
【図３】図１の血液濾過器具の上面図である。
【図４】図１の血液濾過器具の断面図であり、図３のＢ−Ｂ矢視断面図である。
【図５】図１の血液濾過器具の底面図である。
【図６】図１の血液濾過器具と廃液回収容器とが同軸に配置された状態を示す図である。
【図７】図１の血液濾過器具と廃液回収容器とが同軸に配置された別の状態を示す図である。
【図８】図１の血液濾過器具と廃液回収容器とが非同軸に配置された状態を示す図である。
【図９】図１の血液濾過器具と廃液回収容器とが非同軸に配置された別の状態を示す図である。
【図１０】図１の血液濾過器具の変形例を示す上面図である。
【図１１】本発明の実施形態２に係る血液濾過器具の底面図である。
【図１２】図１１の血液濾過器具の斜視図である。
【図１３】（ａ）は図１１の血液濾過器具のＣ−Ｃ矢視断面図であり、（ｂ）は（ａ）のＤで示す部分の拡大図である。
【図１４】本発明の実施形態３に係る血液濾過器具の底面図である。
【図１５】図１４の血液濾過器具の斜視図である。
【図１６】（ａ）は図１４の血液濾過器具の断面図である。
【図１７】本発明の実施形態４に係る血液濾過器具の底面図である。
【図１８】図１７の血液濾過器具の斜視図である。
【図１９】（ａ）は図１７の血液濾過器具のＥ−Ｅ矢視断面図であり、（ｂ）は（ａ）のＦで示す部分の拡大図である。
【図２０】本発明の実施形態５に係る血液濾過器具の断面図である。
【図２１】図２０の血液濾過器具と廃液回収容器とが非同軸に配置された状態を示す図である。
【発明を実施するための形態】
【００３０】
〔実施形態１〕
以下、本発明の実施形態１における血液濾過器具１Ａについて、図１〜図９に基づいて説明する。
【００３１】
図２は、実施形態１における血液濾過器具１Ａを廃液回収容器（容器）Ｗに載置した様子を示す断面図である。図２に示すように、血液濾過器具１Ａは、廃液回収容器Ｗの上部の開口に載置され、カテーテルなどの吸引具により体内から吸引された血栓を含む血液を濾過する。これにより、血液に含まれる血栓は血液濾過器具１Ａに採取され、濾過された血液は廃液回収容器Ｗに回収される。
【００３２】
以下では、血液濾過器具１Ａを用いて血液が濾過される方向を血液濾過器具１Ａの上下方向として説明する。すなわち、図２のように血液濾過器具１Ａを廃液回収容器Ｗに設置した状態において、廃液回収容器Ｗの開口側を血液濾過器具１Ａの上部（上方）、廃液回収容器Ｗの底部側を血液濾過器具１Ａの下部（下方）とする。
【００３３】
（血液濾過器具１Ａの構成）
次に、図１、図３および図４を参照して、実施形態１における血液濾過器具１Ａの構成について説明する。図１は、血液濾過器具１Ａの斜視図である。図３は、血液濾過器具１Ａの上面図である。図４は、図３の血液濾過器具１ＡにおけるＢ−Ｂ矢視断面図である。
【００３４】
図１、および３に示すように、血液濾過器具１Ａは、中空の第１筒状体２を基本構成として備えている。さらに、血液濾過器具１Ａは、第１筒状体２の内部に、吸引具によって吸引された血液を濾過する濾過部３が形成されている。また、図１，３に示すように、濾過部３は、仕切り部５によって４つ区域に仕切られている。ただし、本発明の血液濾過器具は、必ずしも仕切り部を設ける構成でなくてもよい。すなわち、仕切り部を設けず、濾過部が仕切られていない構成でもよい。このように、血液濾過器具１Ａは、第１筒状体２に仕切り部５で４つの区域に仕切られた濾過部３が形成され、さらに第１筒状体２の上部の外周全域に縁部７が形成された構成である。以下、各部の構成について詳細に説明する。
【００３５】
（第１筒状体２）
第１筒状体２は、血液濾過器具１Ａの本体である。図４に示すように、第１筒状体２は、上部側の開口部である第１開口部２ｄと、下部側の開口部である第２開口部２ｅと、第１開口部２ｄから第２開口部２ｅにかけて形成された周壁部２ｆとから構成されている。本実施形態では、図１および図３に示すように、第１筒状体２は、第１筒状体２の軸方向（軸２ｃ）に対して垂直方向の断面が、軸２ｃを中心とした円形状となっている。つまり、第１開口部２ｄおよび第２開口部２ｅ（図４参照）の形状は、いずれも円形状である。なお、このような第１筒状体２の断面形状（第１開口部２ｄおよび第２開口部２ｅの形状）は、円形状に限定されるものではなく、例えば、六角形や八角形などの多角形であってもよい。
【００３６】
また、本実施形態では、下部側の第２開口部２ｅの面積は、上部側の第１開口部２ｄよりも狭くなっている。さらに、第１筒状体２の内周面の幅（径）は、下部（第２開口部２ｅ）から上部（第１開口部２ｄ）に向かって、漸次幅広になっている。しかし、第１筒状体２の内周面の幅（径）は、均一であってもよい。
【００３７】
第１筒状体２の第１開口部２ｄの周囲には、全周にわたって第１筒状体２の上端部から外周方向に延設された縁部７が設けられている。縁部７は、血液濾過器具１Ａを廃液回収容器Ｗに載置するためのものである。すなわち、縁部７の下面を廃液回収容器Ｗの上端部に接触させることにより、血液濾過器具１Ａが廃液回収容器Ｗに載置される（図２参照）。
【００３８】
なお、本実施形態において縁部７は、第１筒状体２の上端部２ａの外面から外周方向に一定の距離延設された形状である。このため、縁部７の外周の形状は、軸２ｃを中心とし、第１開口部２ｄよりも直径が大きい円形状となっている。縁部７の形状は、円形状に限定されるものではなく、例えば、血液濾過器具１Ａを上方から見たときに、六角形や八角形などの多角形になるように、縁部を設けてもよい。
【００３９】
第１筒状体２は、例えば、ポリプロピレン、ポリエチレン、ポリカーボネイトあるいはＡＢＳ等の任意の合成樹脂により形成することができる。
【００４０】
（濾過部３）
一方、濾過部３は、第１筒状体２の底面部に設けられたメッシュ（フィルタ）６を有している。より詳細には、濾過部３は、第１筒状体２の内面とメッシュ６とによって形成される空間である。カテーテルなどの吸引具により体内から吸引された血栓を含む血液がこの空間（濾過部３）に注入されると、メッシュ６によって血液が濾過され、メッシュ６上に血栓が残り、濾過された血液が廃液回収容器Ｗに回収される。メッシュ６は、血液濾過器具１Ａの上下方向（第１筒状体２の軸２ｃの方向）に、血液を濾過する。なお、必要に応じて濾過部３において、吸引された血液以外の洗浄液などが濾過されてもよい。
【００４１】
本実施形態では、濾過部３は、仕切り部５によって４つ区域に仕切られている。これにより、吸引具によって複数回血液を吸引する場合に、各回で採取された血液を異なる区域で濾過し、各回の血栓を採取することができる。したがって、血栓が採取されなくなる回の把握が容易になるため、治療の終了を適切に決定することができる。
【００４２】
本実施形態では、メッシュ６の大きさ（目開き）は、１６０μｍ×１６０μｍである。メッシュ６の大きさ（目開き）は特に限定されるものではないが、１００μｍ以上４００μｍ以下であることが好ましい。メッシュ６の大きさ（目開き）は、例えば、濾過すべき血栓のサイズおよび血液の濾過速度等を考慮して任意の大きさに設定することができる。
【００４３】
また、メッシュ６は、親水性を有することが好ましい。ここで、メッシュ６が親水性を有するとは、メッシュ６の表面が、水になじみやすい状態になっていることを意味する。例えば、メッシュ６が親水性を有する材料から形成されていれば、メッシュ６が親水性を有する。メッシュ６は、例えば、ナイロン、ポリエチレン、ポリプロピレン、ポリエチレンテレフタレート等の合成樹脂から形成することができる。メッシュ６が親水性を有していれば、メッシュ６による血液の濾過が促進される。したがって、吸引血液が濾過部３に溜まるのを抑制しつつ、濾過部３における血液の濾過速度を向上することができる。
【００４４】
また、メッシュ６に親水性を付与するために、メッシュ６の一部または全体、あるいは濾過部３の一部または全体に、親水化処理を施してもよい。すなわち、メッシュ６の一部または全体、あるいは血液濾過器具１Ａまたは濾過部３の一部または全体に、親水化処理層（親水性領域）が形成されていてもよい。また、血液濾過器具１Ａ自体が、親水性を有する材料から形成されていてもよい。通常、材料の表面に水を滴下した場合、表面張力により材料の表面に水滴が形成される。この水滴を種々の方法を用いて材料の表面に馴染ませる処理を、親水化処理という。親水化処理は、例えば、帯電防止処理、プラズマ処理、または湿式化学的界面活性剤（wet chemical surfactants）処理などが挙げられるが、これらに限定されるものではない。例えば、メッシュ６に帯電防止処理を施した場合、メッシュ６が親水性を有するだけでなく、静電気によってメッシュ６にゴミおよびホコリが付着するのを防止することができる。一方、メッシュ６にプラズマ処理を施した場合、メッシュ６の表面における血液の接触角が小さくなるため、血液がメッシュ６を通過しやすくなる。
【００４５】
また、本実施形態では、メッシュ６は第１筒状体２の底面部にのみ設けられているが、メッシュ６を設ける位置は、第１筒状体２の内周面（側面部）など第１筒状体２の内部であれば特に限定されるものではない。ただし、メッシュ６が第１筒状体２の底面部に設けられていれば、濾過部３の容積が大きくなるため、血液の濾過速度を向上することができると共に、濾過部３から血液が溢れることを低減することができる。また、本実施形態のように、メッシュ６が第１筒状体２の底面部にのみ設けられており、第１筒状体２の内周面には設けられていない場合、濾過する血液は、第１筒状体２の底面部でのみ濾過される。その結果、メッシュ６が第１筒状体２の底面部および内周面に設けられている場合よりも、第１筒状体２の底面部でのメッシュ６による濾過が促進される。したがって、濾過する血液が濾過部３に溜まるのを抑制しつつ、濾過部３における濾過速度を向上することができる。それゆえ、メッシュ６は第１筒状体２の底面部にのみ設けられていることが好ましい。第１筒状体２の底面部にメッシュ６を設ける場合、メッシュ６は第１筒状体２の内周面の下方端部に設けられてもよく、前記下方端部よりも上方に設けられていてもよい。また、メッシュ６は、第１筒状体２の内周面の上下方向における中央部に設けられていてもよい。
【００４６】
また、図４に示すように、血液濾過器具１Ａでは、仕切り部５の上端部５ａは、第１筒状体２の上端部２ａよりも低い位置に設けられている。これにより、仕切り部５によって仕切られた濾過部３の区域に、その区域の容量以上の血液が注入されたとしても、注入された血液は、第１筒状体２の上端部２ａを超える前に、仕切り部５の上端部５ａを越えて、濾過部３の隣の区域に流れる。したがって、血液が第１筒状体２の上端部２ａから外部に漏れ、血液濾過器具１Ａの周りが汚れるのを防ぐことができる。ただし、本発明の血液濾過器具は、仕切り部の上端部が第１筒状体の上端部よりも低い位置に設けられている構成には限られない。すなわち、本発明の血液濾過器具は、仕切り部の上端部が第１筒状体の上端部と同じ高さの位置に設けられている構成であってもよい。
【００４７】
（突出部８）
次に、図２、図３、および図５〜図９に基づいて、縁部７に形成された突出部８について説明する。図５は、実施形態１における血液濾過器具１Ａの底面図である。
【００４８】
図２に示すように、血液濾過器具１Ａは、廃液回収容器Ｗの上部の開口に載置される。通常、血液濾過器具１Ａは、中心軸（図１、図４の軸２ｃ）が、廃液回収容器Ｗの中心軸にほぼ一致するように配置される（同軸配置）。具体的には、第１筒状体２の上部の外周に形成された縁部７の下面が、廃液回収容器Ｗの上部の開口に載置され、第１筒状体２が廃液回収容器Ｗの内側に配置される。このため、廃液回収容器Ｗの開口の内径は、血液濾過器具１Ａの第１筒状体２の外径よりも大きい。
【００４９】
しかし、廃液回収容器Ｗの開口の内径が第１筒状体２の外径よりも大きすぎると、血液濾過器具１Ａの中心軸と廃液回収容器Ｗの中心軸とが相対的にずれてしまう。その結果、血液濾過器具１Ａの載置状態が不安定になったり、場合によっては、第１筒状体２の縁部７の一部が廃液回収容器Ｗから脱落し、廃液回収容器Ｗの内部に配置されてしまう。
【００５０】
そこで、血液濾過器具１Ａでは、図２、図３、および図５に示すように、第１筒状体２の縁部７の下面には、第１筒状体２から下方に突出した突出部８が設けられている。本実施形態では、突出部８は、仕切り部５で仕切られた濾過部３の区域ごとに等間隔に４カ所設けられている。
【００５１】
また、血液濾過器具１Ａでは、図２に示すように、突出部８が形成された縁部７の下面と、突出部８の厚さ方向の断面における突出部８の両側面とのなす角が、ほぼ９０°になっている。
【００５２】
また、図３および図５に示すように、４つの突出部８は、第１筒状体２の中心軸２ｃを中心とする同一円周上に設けられている。つまり、各突出部８は、円弧状に設けられている。さらに、各突出部８は、縁部７の外周と第１筒状体２の外周との中間よりも縁部７の外周側に設けられている。
【００５３】
血液濾過器具１Ａでは、縁部７の下面のうち、突出部８が形成されていない領域に、廃液回収容器Ｗが配置される。図６および図７は、図１の血液濾過器具１Ａと廃液回収容器Ｗとが同軸に配置された状態を示す図である。図６および図７には、縁部７の下面と、廃液回収容器Ｗの上部の開口との位置関係が示されている。また、図６における廃液回収容器Ｗの開口の内径は、図７における廃液回収容器Ｗの開口の内径よりも小さい。
【００５４】
図６に示すように、廃液回収容器Ｗの開口が第１筒状体２と突出部８との間に配置されるサイズの廃液回収容器Ｗの場合、血液濾過器具１Ａが廃液回収容器Ｗの幅方向に（開口の径方向）に移動したとしても、突出部８がその移動を規制する。つまり、突出部８の内側の側面が廃液回収容器Ｗの外面に接することにより、血液濾過器具１Ａと廃液回収容器Ｗとの間の相対的な位置ずれを低減することができる。
【００５５】
同様に、図７に示すように、廃液回収容器Ｗの開口が縁部７の外縁と突出部８との間に配置されるサイズの廃液回収容器Ｗの場合、血液濾過器具１Ａが廃液回収容器Ｗの幅方向に（開口の径方向）に移動したとしても、突出部８がその移動を規制する。つまり、突出部８の外側の側面が廃液回収容器Ｗの内面に接することにより、血液濾過器具１Ａと廃液回収容器Ｗとの間の相対的な位置ずれを低減することができる。
【００５６】
また、血液濾過器具１Ａを廃液回収容器Ｗに載置して使用するときに、第１筒状体２に形成された縁部７が廃液回収容器Ｗの上端部に接する。これにより、血液濾過器具１Ａが縁部７の高さ方向および廃液回収容器Ｗの高さ方向に位置決めされる。したがって、血液濾過器具１Ａを廃液回収容器Ｗの高さ方向にも幅方向にも安定して載置することができる。
【００５７】
一方、図８および図９は、図１の血液濾過器具１Ａと廃液回収容器Ｗとが非同軸に配置された状態を示す図である。図８および図９には、縁部７の下面と、廃液回収容器Ｗの上部の開口との位置関係が示されている。
【００５８】
図８における廃液回収容器Ｗの開口の内径は、突出部８が配置されている第１筒状体２の中心軸２ｃを中心とする円の直径と同一である。この場合、例えば、図８に示すように、２つの突出部８を廃液回収容器Ｗの外側に配置し、残りの２つの突出部８を廃液回収容器Ｗの内側に配置する。その結果、血液濾過器具１Ａの中心軸と廃液回収容器Ｗの中心軸とが相対的にずれて配置された、すなわち血液濾過器具１Ａの中心軸と廃液回収容器Ｗの中心軸とが非同軸に配置された状態となる。このような配置状態において、血液濾過器具１Ａが廃液回収容器Ｗの幅方向に（開口の径方向）に移動したとしても、各突出部８がその移動を規制する。つまり、廃液回収容器Ｗの外側に配置された２つの突出部８の内側の側面が廃液回収容器Ｗの外面に接する、または、廃液回収容器Ｗの内側に配置された２つの突出部８の外側の側面が廃液回収容器Ｗの内面に接することより、血液濾過器具１Ａと廃液回収容器Ｗとの間の相対的な位置ずれを低減することができる。また、廃液回収容器Ｗが変形した場合も、図８と同様の配置状態とすることによって、血液濾過器具１Ａを廃液回収容器Ｗに安定して載置することができる。
【００５９】
一方、図９における廃液回収容器Ｗの開口の内径は、血液濾過器具１Ａのサイズよりも大きい。すなわち、図９における廃液回収容器Ｗは、縁部７の外径よりも大きな内周を持つ容器である。この場合、例えば、図９に示すように、１つの突出部８を廃液回収容器Ｗの外側に配置し、残りの３つの突出部８を廃液回収容器Ｗの内側に配置する。その結果、血液濾過器具１Ａの中心軸と廃液回収容器Ｗの中心軸とが相対的にずれて配置された、すなわち血液濾過器具１Ａの中心軸と廃液回収容器Ｗの中心軸とが非同軸に配置された状態となる。このような配置状態において、血液濾過器具１Ａが廃液回収容器Ｗの幅方向に（開口の径方向）に移動したとしても、各突出部８がその移動を規制する。つまり、廃液回収容器Ｗの外側に配置された１つの突出部８の内側の側面が廃液回収容器Ｗの外面に接する、または、廃液回収容器Ｗの内側に配置された３つの突出部８の外側の側面が廃液回収容器Ｗの内面に接することにより、血液濾過器具１Ａと廃液回収容器Ｗとの間の相対的な位置ずれを低減することができる。したがって、血液濾過器具１Ａよりも大きいサイズの廃液回収容器Ｗであっても、血液濾過器具１Ａを安定して載置することができる。
【００６０】
このように、本実施形態の血液濾過器具１Ａでは、第１筒状体２の上端部２ａから外周方向に延設された縁部７に、突出部８が形成されている。これにより、第１筒状体２の外周面よりも大きいサイズの廃液回収容器Ｗに、血液濾過器具１Ａを載置したときに、廃液回収容器Ｗの側壁の内面または外面に突出部８が接することによって、血液濾過器具１Ａと廃液回収容器Ｗとの間の相対的な位置ずれを低減することができる。つまり、血液濾過器具１Ａと廃液回収容器Ｗとの間の相対的な位置ずれが生じたとしても、突出部８が廃液回収容器Ｗの側壁に接することによって、突出部８が位置ずれを低減するストッパとして機能する。
【００６１】
また、廃液回収容器Ｗに対する血液濾過器具１Ａの突出部８の配置状態を変えることによって、使用できる廃液回収容器Ｗのサイズの種類を増やすこともできる。廃液回収容器Ｗが歪んでいる場合や、血液濾過器具１Ａの中心軸（軸２ｃ）と廃液回収容器Ｗの中心軸とがずれて配置されている場合、血液濾過器具１Ａと廃液回収容器Ｗとは、水平方向の中心が一致しない。このような場合においても、突出部８が形成されていれば、突出部８により廃液回収容器Ｗに対する血液濾過器具１Ａの載置位置を調整することができる。すなわち、血液濾過器具１Ａは、多様な形状、多様なサイズの廃液回収容器Ｗに安定して載置することができる。
【００６２】
また、廃液回収容器Ｗとしてビーカーを用いる場合、ビーカーの注ぎ口に突出部８が配置されないように、血液濾過器具１Ａを廃液回収容器Ｗに載置することが好ましい。これにより、突出部８がビーカーの注ぎ口を遮らないため、ビーカーに回収された廃液をビーカーの注ぎ口から容易に排出することができる。
【００６３】
突出部８の高さ（突出部８の突出方向の長さ、突出部８の厚さ）は、特に限定されるものではないが、第１筒状体２の高さ（第１筒状体２の軸方向の長さ）の１／１０以上、１／２以下であることが好ましく、１／８以上、１／４以下であることがより好ましい。これにより、突出部８が廃液回収容器Ｗの側壁（廃液回収容器Ｗの内面または外面）に干渉することなく、血液濾過器具１Ａを廃液回収容器Ｗに安定して載置することができる。
【００６４】
また、突出部８の幅は、特に限定されるものではないが、縁部７の周方向の幅の１／２０以上、１／３以下であることが好ましく、１／１２以上、１／８以下であることがより好ましい。これにより、突出部８が廃液回収容器Ｗの側壁（廃液回収容器Ｗの内面または外面）に干渉することなく、血液濾過器具１Ａを廃液回収容器Ｗに安定して載置することができる。
【００６５】
なお、複数の突出部８を同一円周上に設ける場合、突出部８の数、突出部８の長さ（弧の長さ）は、特に限定されるものではない。例えば、突出部８は円周の全域に設けてもよい。縁部７の下面における突出部８の領域が多くすると、血液濾過器具１Ａが廃液回収容器Ｗの幅方向に移動するのを確実に規制することができる。一方、縁部７の下面における突出部８の領域が少なくすると、廃液回収容器Ｗを配置できる領域が多くなる。また、突出部８の領域を少なくしたり、突出部８の数を少なくしたりする（例えば２〜５個にする）ことにより、突出部８の製造コスト、ひいては血液濾過器具１Ａの製造コストを抑えることができる。
【００６６】
次に、図５を参照して、縁部７および突出部８を設ける好ましい位置について説明する。図５に示すように、第１筒状体２の軸２ｃから第１筒状体２（周壁部２ｆ）の内面までの距離をＲ１、第１筒状体２の軸２ｃから突出部８の内面（内側の側面）までの距離をＲ２、第１筒状体２の軸２ｃから縁部７の外周までの距離をＲ３、突出部８の幅をａ、隣り合う２つの突出部８の距離（最も近い突出部８の端部どうしの距離）をｂとする。このとき、縁部７および突出部８は、次の２つの式（１）および式（２）が成り立つように、設けられていることが好ましい。
（１）  ２×Ｒ２≧ｂ≧２（Ｒ２＋ａ−Ｒ１）
（２）  Ｒ３−ａ≧Ｒ２＞Ｒ１。
【００６７】
上記式（１）は、第１筒状体２の径方向における好ましい突出部８の条件を規定するものである。上記式（２）は、第１筒状体２の径方向における好ましい突出部８の条件を規定するものである。
【００６８】
上記式（１）は、隣り合う２つの突出部８の距離ｂの範囲を示す。距離ｂの値が２（Ｒ２＋ａ−Ｒ１）に近づくと、廃液回収容器Ｗとして使用できる容器の開口の径の大きさの範囲が小さくなるが、血液濾過器具１Ａの載置の安定性が高くなる。
【００６９】
一方、距離ｂの値が２×Ｒ２に近づくと、血液濾過器具１Ａの載置の安定性は低くなるものの、廃液回収容器Ｗとして使用できる容器の開口の径の大きさが大きくなる。
【００７０】
上記式（２）は、第１筒状体２の軸２ｃから突出部８の内面（内側の側面）までの距離Ｒ２の範囲を示す。距離Ｒ２の値は、第１筒状体２の軸２ｃから第１筒状体２（周壁部２ｆ）の内面までの距離Ｒ１に近づくと。廃液回収容器Ｗとして使用できる容器の開口の径の大きさの範囲は小さくなるが、血液濾過器具１Ａの載置の安定性が高くなる。
【００７１】
一方、距離Ｒ２の値が、Ｒ３−ａに近づくと、血液濾過器具１Ａの載置の安定性は低くなるものの、廃液回収容器Ｗとして使用できる容器の開口の径の大きさの範囲が大きくなる。廃液回収容器Ｗとして使用可能な容器のサイズの範囲と安定性のバランスを考慮すると、突出部８の径方向の位置Ｒ２は、１／２×（Ｒ１＋Ｒ３）を満たすことが好ましい。
【００７２】
上記式（１）および式（２）を満たすように血液濾過器具１Ａを設計することにより、多様な形状、多様なサイズの廃液回収容器Ｗに、血液濾過器具１Ａを安定して載置することができる。
【００７３】
また、突出部８は、第１筒状体２と同様に、例えば、ポリプロピレン、ポリエチレン、ポリカーボネイトあるいはＡＢＳ等の任意の合成樹脂により形成することができる。突出部８の材料として、弾性の高い材料を用いることができる。用いることができる弾性の高い材料として、例えば、ウレタンゴム、シリコン等がある。第１筒状体２と同じ材料を用いた場合、血液濾過器具１Ａを製造する際に、製造しやすくなる。突出部８に弾性の高い材料を用いた場合、廃液回収容器Ｗと突出部との摩擦が大きくなり、載置の安定性を向上することができる。また、縁部７にも突出部８と同じ弾性の高い材料を用いた場合、載置の安定性をより向上することができる。
【００７４】
（血液濾過器具１Ａのまとめ）
以上のように、本実施形態の血液濾過器具１Ａは、第１筒状体２の外面から外周方向に延設された縁部７と、縁部７に設けられ、第１筒状体２の下端部側に突出した突出部８とを備えている。
【００７５】
この構成では、血液濾過器具１Ａを廃液回収容器Ｗに載置して使用するときに、第１筒状体に形成された縁部７が廃液回収容器Ｗの上端部に接する。これにより、血液濾過器具１Ａが、縁部７の高さ方向および廃液回収容器Ｗの高さ方向に位置決めされる。
【００７６】
さらに、突出部８を廃液回収容器Ｗ側に配置して血液濾過器具１Ａを廃液回収容器Ｗに載置することによって、血液濾過器具１Ａが廃液回収容器Ｗの幅方向に移動したとしても、突出部８がその移動を規制する。つまり、突出部８が廃液回収容器Ｗの側壁（廃液回収容器Ｗの内面または外面）に接することにより、血液濾過器具１Ａと廃液回収容器Ｗとの間の相対的な位置ずれを低減することができる。
【００７７】
したがって、血液濾過器具を容器の高さ方向にも幅方向にも安定して載置することができる。
【００７８】
さらに、縁部７の下面における突出部８が形成されていない領域は、廃液回収容器Ｗの上端部に接する部分として利用することができる。したがって、血液濾過器具１Ａよりも大きいサイズの廃液回収容器Ｗ、すなわち縁部７の外径よりも大きな内周を持つ廃液回収容器Ｗであっても、血液濾過器具１Ａを安定して載置することができる。
【００７９】
また、本実施形態では、縁部７の下面と、縁部７の周方向における突出部８の両側面とのなす角が、略垂直になっている。これにより、血液濾過器具１Ａを廃液回収容器Ｗに載置するときに、廃液回収容器Ｗの上端部が、突出部８の側面に沿って、縁部７の下面の突出部８が形成されていない領域まで導かれやすくなる。したがって、血液濾過器具１Ａを廃液回収容器Ｗに取り付けやすくなる。なお、縁部７の周方向における突出部８の両側面のうち少なくとも一方の側面が、縁部７の下面に対して垂直あるいは鈍角であれば、同様の効果が得られる。
【００８０】
また、本実施形態では、仕切り部５によって仕切られた濾過部３の各区域に対応して、突出部８が設けられているため、血液濾過器具１Ａを廃液回収容器Ｗに安定して載置することができる。
【００８１】
また、本実施形態では、突出部８が、縁部７の外周と第１筒状体２の外周との中間よりも縁部７の外周側に設けられた構成である。このため、突出部８が、縁部７の外周と第１筒状体２の外周との中間よりも縁部７の外周側で、血液濾過器具１Ａが廃液回収容器Ｗの幅方向に移動するのを規制する。これにより、突出部８が縁部７の外周と第１筒状体２の外周との中間よりも縁部７の内周側に設けられている場合に比べて、大きいサイズの廃液回収容器Ｗに血液濾過器具１Ａを安定して載置することができる。
【００８２】
なお、本実施形態では、濾過部３が、仕切り部５によって４つの区域に仕切られているが、区域の数はこれに限定されるものではない。すなわち、濾過部３の区域は１つでもよく、２つ以上でもよい。ただし、カテーテルなどの吸引具を用いた吸引による血栓の回収では、通常２回以上の吸引を行うため、濾過部３を少なくとも２つの区域に仕切る仕切り部５を設けることが好ましい。
【００８３】
また、血液濾過器具１Ａは、第１筒状体２の内周面の径が、上部から下部に向かって徐々に小さくなっている構成である。すなわち、第１筒状体２の内周面が、第１筒状体２の下部から上部に向かって幅広になっている。これにより、血液濾過器具１Ａを載置する廃液回収容器Ｗの開口部の内径が、第１筒状体２の上部側の第１開口部２ｄの外径と、第１筒状体２の下部側の第２開口部２ｅの外径との間である場合に、第１筒状体２の外周面が廃液回収容器Ｗの開口部に接する。したがって、多様なサイズの廃液回収容器Ｗに血液濾過器具１Ａを安定して載置することができる。また、この構成では、第１筒状体２の内周面の径が同一である場合よりも、フィルタ面に濾液（血液）からの圧力がかかるため、濾液が流れやすくなる。したがって、濾過部３における血液の濾過速度を向上することができる。さらに、第１筒状体２が上述した形状であれば、血液濾過器具１Ａを成形によって製造する際に、成形後の血液濾過器具１Ａを成形機の金型から取り出しやすくなる。
【００８４】
（変形例）
血液濾過器具１Ａの変形例である血液濾過器具１Ａ’について、図１０を参照して説明する。なお、説明の便宜上、血液濾過器具１Ａの説明において説明した部材と同じ機能を有する部材については、同じ符号を付記し、その説明を省略する。
【００８５】
図１０は、血液濾過器具１Ａ’の上面図である。図１０に示すように、血液濾過器具１Ａ’は、血液濾過器具１Ａとは、縁部７’の形状が異なっている。すなわち、血液濾過器具１Ａでは、縁部７は、第１筒状体２の上端部２ａの全周にわたって、上端部２ａから外周方向に一定の距離延設されていた。
【００８６】
これに対して、血液濾過器具１Ａ’では、縁部７’が第１筒状体２の上端部２ａの全周ではなく部分的に延設されている。すなわち、血液濾過器具１Ａ’の縁部７’は、血液濾過器具１Ａの縁部７において、突出部８が形成されていない領域が欠落した構成である。縁部７’は、仕切り部５によって仕切られた濾過部３の区域ごとに４箇所形成されている。
【００８７】
これにより、廃液回収容器Ｗの内径が第１筒状体２の外形よりも大きい場合に、上方から廃液回収容器Ｗの内部に溜まっている廃液の量を確認することができる。また、血液濾過器具１Ａ’を廃液回収容器Ｗに載置した状態で、廃液回収容器Ｗに回収された血液の泡や洗浄液などの廃棄物を縁部７’のない領域から、容易に排出することもできる。
【００８８】
なお、血液濾過器具１Ａ’では、縁部７’を設ける数は４つであるが、これに限られるものではない。例えば、縁部７’を設ける数は２つでもよいし、３つ以上でもよい。
【００８９】
また、血液濾過器具１Ａ’は、第１筒状体２の軸２ｃに設けられた中空の第２筒状体４を備えている点についても、血液濾過器具１Ａとは異なっている。すなわち、血液濾過器具１Ａ’は、第１筒状体２の中央部に第２筒状体４が形成され、第２筒状体４の周囲に仕切り部５で４つの区域に仕切られた濾過部３が形成され、さらに第１筒状体２の上部の外周全域に縁部７’が形成された構成となっている。
【００９０】
第２筒状体４は、第１筒状体２の中央部に形成された中空部材から構成されており、濾過部３の各区域に隣接している。第２筒状体４は、第１筒状体２の軸２ｃを中心軸とし、第１筒状体２と同心円状に形成されている。第２筒状体４の幅（径）は均一である。第２筒状体４は、第１筒状体２と同様に、軸方向（軸２ｃ）に対して垂直方向の断面が、軸２ｃを中心とした円形状となっている。なお、このような第２筒状体４の断面形状は、円形状に限定されるものではなく、例えば、六角形や八角形などの多角形であってもよい。
【００９１】
上述した濾過部３には、第１筒状体２の底面部にメッシュ（フィルタ）６が設けられている。一方、第２筒状体４には、メッシュ（フィルタ）が設けられていない。このため、血液濾過器具１Ａを廃液回収容器Ｗに載置したときに、第２筒状体４が、第１筒状体２の軸方向に、メッシュ（フィルタ）を有さない中空部を構成する。第２筒状体４は、濾過部３によって血液を濾過する方向と同一方向に形成されている。したがって、第２筒状体４は、血液の泡や洗浄液などの吸引具内の廃棄物を廃棄する廃棄部として利用することができる。すなわち、第２筒状体４は、吸引具による血栓の吸引に伴って吸引具内に発生する血液の泡や吸引具を洗浄した後の洗浄液などの吸引具内の廃棄物を廃棄するための廃棄経路となる。なお、「吸引具内の廃棄物」は、吸引具内に発生する血液の泡、吸引具内の洗浄液に限定されるものではなく、吸引具内に残った血液（濾過部３で濾過する必要のない血液）、その血液に含まれる血栓等も含まれる。したがって、「吸引具内の廃棄物」には、液体だけでなく固体も包含される。
【００９２】
このように、血液濾過器具１Ａ’は、第２筒状体４を備えている。第２筒状体４は、メッシュ６が血液を濾過する方向と同じ方向に、血液濾過器具１Ａの上下方向（第１筒状体２の軸２ｃの方向）に、血液の泡や洗浄液などの廃棄物を廃棄する廃棄経路を形成している。これにより、第２筒状体４により、血液の泡や洗浄液などの吸引具内の廃棄物を廃棄することができるようになっている。
【００９３】
〔実施形態２〕
本発明の他の実施形態について、図１１〜図１３を参照して説明する。なお、説明の便宜上、前記実施形態において説明した部材と同じ機能を有する部材については、同じ符号を付記し、その説明を省略する。
【００９４】
本実施形態の血液濾過器具１Ｂは、突出部８ａ〜８ｃの構成が前記実施形態の血液濾過器具１Ａとは異なっている。
【００９５】
図１１は、本発明の実施形態２に係る血液濾過器具１Ｂの底面図である。図１２は、図１１の血液濾過器具１Ｂの斜視図である。図１３の（ａ）は、図１１の血液濾過器具のＣ−Ｃ矢視断面図であり、図１３（ｂ）は図１３の（ａ）のＤで示す部分の拡大図である。
【００９６】
図１１および図１２に示すように、血液濾過器具１Ｂは、第１筒状体２の中心軸（軸２ｃ）を中心とする、３つの同心円の円周上に突出部８ａ〜８ｃを備えている。突出部８ａ〜８ｃは、軸２ｃに近い側から、突出部８ａ、突出部８ｂ、突出部８ｃの順に並設されている。突出部８ａ〜８ｃは、各円周上にそれぞれ３箇所ずつ、等間隔に設けられている。
【００９７】
図１３の（ａ）および（ｂ）に示すように、突出部８ａ〜８ｃの厚さ方向の断面形状は、三角形であり、突出部８ａ〜８ｃの両側面は、縁部７の下面に対して傾斜している。すなわち、縁部７の下面と、突出部８ａ〜８ｃの厚さ方向の断面における側面とのなす角が鈍角（本実施形態では１５０°）になっている。縁部７の下面と、突出部８ａ〜８ｃの側面とのなす角は、９０°以上、１５０°であることが好ましい。なお、上述のように、突出部８ａ〜８ｃは同心円状に形成されているため、突出部８ａ〜８ｃの側面は曲面になっている。また、血液濾過器具１Ｂでは、突出部８ａ〜８ｃは同心円状に複数並設されているため、縁部７の下面は、突出部８ａ〜８ｃが形成された領域が凸部、突出部８ａ〜８ｃが形成されていない領域が凹部となった、波状になっている。
【００９８】
以上のように、血液濾過器具１Ｂも、突出部８ａ〜８ｃを備えているため、血液濾過器具１Ａと同様の効果を奏する。さらに、突出部８ａ〜８ｃは同心円状に複数並設されているため、第１筒状体２と突出部８ａとの間、突出部８ａと突出部８ｂとの間、および突出部８ｂと突出部８ｃとの間に配置された廃液回収容器Ｗに、血液濾過器具１Ｂを安定して載置することができる。
【００９９】
また、本実施形態では、縁部７の下面と、縁部７の周方向における突出部８の両側面とのなす角が、鈍角になっている。また、突出部８の両側面は、曲面になっている。これにより、血液濾過器具１Ｂを廃液回収容器Ｗに載置するときに、廃液回収容器Ｗの上端部が、突出部８の側面（傾斜面）に沿って、縁部７の下面の突出部８ａ〜８ｃが形成されていない領域（縁部７の下面の凹部）まで導かれやすくなる。したがって、血液濾過器具１Ｂを廃液回収容器Ｗに取り付けやすくなる。
【０１００】
〔実施形態３〕
本発明の他の実施形態について、図１４〜図１６を参照して説明する。なお、説明の便宜上、前記実施形態において説明した部材と同じ機能を有する部材については、同じ符号を付記し、その説明を省略する。
【０１０１】
本実施形態の血液濾過器具１Ｃは、突出部８ｄ〜８ｆの構成が前記実施形態の血液濾過器具１Ａ、１Ｂとは異なっている。
【０１０２】
図１４は、本発明の実施形態３に係る血液濾過器具１Ｃの底面図である。図１５は、図１４の血液濾過器具１Ｃの斜視図である。図１６は、図１４の血液濾過器具１Ｃの断面図である。
【０１０３】
図１４および図１５に示すように、血液濾過器具１Ｃは、第１筒状体２の中心軸（軸２ｃ）を中心とする、３つの同心円の円周上に突出部８ｄ〜８ｆが形成されている。突出部８ｄ〜８ｆは、軸２ｃに近い側から、突出部８ｄ、突出部８ｅ、突出部８ｆの順に設けられている。突出部８ｄ〜８ｆは、各円周上の１箇所に設けられている。突出部８ｄ〜８ｆは、縁部７の下面に点在している。すなわち、血液濾過器具１Ｃの突出部８ｄ〜８ｆは、実施形態２の突出部８ａ〜８ｃのように縁部７の幅方向に並設されておらず、軸２ｃと突出部８ｄ〜８ｆとを結ぶ線上には、１つの突出部８ｄ〜８ｆが設けられる。
【０１０４】
また、図１４〜図１６に示すように、最も外側に配置された突出部８ｆは、縁部７の外周に設けられている。なお、縁部７の外周に突出部８ｆを設ける場合、縁部７の外周の一部の領域に設け、縁部７の外周の全域には設けない。
【０１０５】
以上のように、血液濾過器具１Ｃも、突出部８ｄ〜８ｆを備えているため、血液濾過器具１Ａと同様の効果を奏する。さらに、縁部７の下面に形成される突出部８ｄ〜８ｆは３つであるため、突出部８ｄ〜８ｆが形成されない領域が広くなる。すなわち、廃液回収容器Ｗを配置できる領域が広くなる。したがって、使用できる廃液回収容器Ｗのサイズの種類を増やすこともできる。
【０１０６】
また、血液濾過器具１Ｃでは、突出部８ｆが、縁部７の外周に設けられている。これにより、廃液回収容器Ｗを突出部８ｆよりも内側に配置することにより、突出部８ｆが廃液回収容器Ｗに引っ掛かるため、血液濾過器具１Ｃが廃液回収容器Ｗに落下するのを抑制することができる。
【０１０７】
〔実施形態４〕
本発明の他の実施形態について、図１７〜図１９を参照して説明する。なお、説明の便宜上、前記実施形態において説明した部材と同じ機能を有する部材については、同じ符号を付記し、その説明を省略する。
【０１０８】
本実施形態の血液濾過器具１Ｄは、突出部８ｆ〜８ｈの構成が前記実施形態の血液濾過器具１Ａ〜１Ｃとは異なっている。
【０１０９】
図１７は、本発明の実施形態４に係る血液濾過器具１Ｄの底面図である。図１８は、図１７の血液濾過器具１Ｄの斜視図である。図１９の（ａ）は図１７の血液濾過器具１ＤのＥ−Ｅ矢視断面図であり、図１９の（ｂ）は（ａ）のＦで示す部分の拡大図である。
【０１１０】
図１７および図１８に示すように、血液濾過器具１Ｄは、第１筒状体２の中心軸（軸２ｃ）を中心とする、３つの同心円の円周上に突出部８ｆ〜８ｈを備えている。突出部８ｆ〜８ｈは、軸２ｃに近い側から、突出部８ｈ、突出部８ｇ、突出部８ｆの順に設けられている。突出部８ｇ、８ｈは、各円周上の１箇所に設けられている。突出部８ｆは、縁部７の外周の３箇所に等間隔に設けられている。
【０１１１】
図１７〜図１９に示すように、３つの突出部８ｆのうちの１つと、突出部８ｇ、８ｈとは、３つの同心円の径方向に並設されている。さらに、最も外側の突出部８ｆの高さは、他の突出部８ｇ、８ｈの高さよりも高くなっている。
【０１１２】
以上のように、血液濾過器具１Ｄも、突出部８ｆ〜８ｈを備えているため、血液濾過器具１Ａと同様の効果を奏する。さらに、突出部８ｆ〜８ｈは同心円状に複数並設された部分が存在するため、その部分では第１筒状体２と突出部８ｈとの間、突出部８ｈと突出部８ｇとの間、および突出部８ｇと突出部８ｆとの間に配置された廃液回収容器Ｗに、血液濾過器具１Ｄを安定して載置することができる。
【０１１３】
また、血液濾過器具１Ｄでは、突出部８ｆが、縁部７の外周に設けられており、かつ、突出部８ｆの高さは、他の突出部８ｇ、８ｈの高さよりも高くなっている。これにより、廃液回収容器Ｗを突出部８ｆよりも内側に配置することにより、突出部８ｆが廃液回収容器Ｗに引っ掛かるため、血液濾過器具１Ｄが廃液回収容器Ｗに落下するのを抑制することができる。
【０１１４】
また、血液濾過器具１Ｄは、突出部８ａ〜８ｃが３箇所で同心円状に並設された実施形態２の血液濾過器具１Ｂよりも、縁部７の下面に突出部８ｆ〜８ｈが形成されていない領域が広くなっている。すなわち、廃液回収容器Ｗを配置できる領域が広くなる。したがって、廃液回収容器Ｗに、血液濾過器具１Ｄを安定して載置しつつ、使用できる廃液回収容器Ｗのサイズの種類を増やすこともできる。
【０１１５】
〔実施形態５〕
本発明の他の実施形態について、図２０および図２１を参照して説明する。なお、説明の便宜上、前記実施形態において説明した部材と同じ機能を有する部材については、同じ符号を付記し、その説明を省略する。
【０１１６】
本実施形態の血液濾過器具１Ｅは、突出部８の構成が前記実施形態の血液濾過器具１Ａとは異なっている。それ以外の構成は、血液濾過器具１Ａと同様である。
【０１１７】
図２０は、本発明の実施形態５に係る血液濾過器具１Ｅの断面図である。図２１は、図２０の血液濾過器具１Ｅと廃液回収容器Ｗとが非同軸に配置された状態を示す図である。
【０１１８】
図２０および図２１に示すように、血液濾過器具１Ｅは、血液濾過器具１Ａの突出部８の先端面に溝８ｉが形成された構成である。この溝８ｉは、突出部８の長さ方向の両端を結ぶように円弧状に形成されている。
【０１１９】
これにより、突出部８に形成された溝８ｉに廃液回収容器Ｗをはめ込んで配置することができる。その結果、溝８ｉが、廃液回収容器Ｗの幅方向への血液濾過器具１Ｅの移動を拘束する。したがって、血液濾過器具を容器に安定して載置することができる。なお、本実施形態では、すべての突出部８に溝８ｉを形成しているが、少なくとも１つの突出部８に溝８ｉが形成されていればよい。
【０１２０】
突出部８および溝８ｉの材料は、第１筒状体２、縁部７と異なる材料を用いることができる。突出部８および溝８ｉの材料としてより弾性の高い材料を用いることにより、溝８ｉに廃液回収容器Ｗをはめ込んだ際に、より強固に廃液回収容器Ｗを拘束することができる。
【０１２１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【０１２２】
１Ａ〜１Ｅ、１Ａ’  血液濾過器具
２                  第１筒状体（筒状体）
２ｃ                軸（中心軸）
３                  濾過部
５                  仕切り部
６                  メッシュ（フィルタ）
７，７’            縁部
８，８ａ〜８ｈ      突出部
８ｉ                溝
ａ                  突出部の幅
ｂ                  隣り合う２つの突出部の距離
Ｒ１                第１筒状体の中心軸から第１筒状体の内面までの距離
Ｒ２                第１筒状体の中心軸から突出部の内面までの距離
Ｒ３                第１筒状体の中心軸から縁部の外周までの距離
Ｗ                  廃液回収容器（容器）
【図１】
2017140313.tif 000003
【図２】
2017140313.tif 000004
【図３】
2017140313.tif 000005
【図４】
2017140313.tif 000006
【図５】
2017140313.tif 000007
【図６】
2017140313.tif 000008
【図７】
2017140313.tif 000009
【図８】
2017140313.tif 000010
【図９】
2017140313.tif 000011
【図１０】
2017140313.tif 000012
【図１１】
2017140313.tif 000013
【図１２】
2017140313.tif 000014
【図１３】
2017140313.tif 000015
【図１４】
2017140313.tif 000016
【図１５】
2017140313.tif 000017
【図１６】
2017140313.tif 000018
【図１７】
2017140313.tif 000019
【図１８】
2017140313.tif 000020
【図１９】
2017140313.tif 000021
【図２０】
2017140313.tif 000022
【図２１】
2017140313.tif 000023